(57)【要約】      （修正有）【課題】様々な学習技術を集約するシステム及び方法を提供する。【解決手段】異なる学習管理サービスをプラットフォームで容易に集積することができる登録サービスフレームワークを備える。更に、学習コンテンツは任意のプラットフォーム、技術又はモードであることができ、単一チャネルを通じてユーザに提示される。様々な学習モードに亘るｅコマースレイヤーであり、パブリッシャーはそれらのコンテンツを配置することができ、学習技術の購入を可能にする。学習者は、シームレスに同一に利用することができ、学習者インターフェースを容易に使用することができる。このプラットフォームは、また、学習者が企業において習得されたコンピテンシー能力の適用に学習の旅を続けることを助ける。更に、全ての参加する事業体間の収益管理を提供する。また、異なる学習技術のための登録／非登録を管理することを助けるアクティベーショントークンエンジンを提供する。【選択図】図２ａ
2019091390.tif 000002
【特許請求の範囲】
【請求項１】
複数の学習技術を集約する方法であって、前記方法は、
前記複数の学習技術を集約するためにプラットフォームオーナーによりプラットフォームを提供するステップであって、前記複数の学習技術は、学習コンテンツを有する、ステップと、
前記プラットフォームの登録サービスフレームワークを用いて各パブリッシャーによる製品として前記複数の学習技術を集積するステップと、
１以上のユーザによって前記プラットフォーム上の前記複数の学習技術を検索するステップと、
少なくとも１人のユーザによって前記複数の学習技術のうちの少なくとも１つの学習技術を購入するステップであって、前記購入は、収益の生成を生じる、ステップと、
収益管理モジュールを用いて前記パブリッシャーと前記プラットフォームオーナーとの間の収益を管理するステップと、
前記プラットフォーム上で前記少なくとも１人のユーザにより前記少なくとも１つの学習技術を使用するステップと、
を含むプロセッサ実装ステップを備える方法。
【請求項２】
前記製品を用いる前に、前記プラットフォームオーナーによって前記複数の学習技術を承認するステップを更に備える請求項１に記載の方法。
【請求項３】
前記１以上のユーザは、１以上の学習者及び１以上の配布者を含む、請求項１に記載の方法。
【請求項４】
前記１以上の配布者は、組織体の少なくとも１つを含む、請求項３に記載の方法。
【請求項５】
少なくとも１人の配布者によって、購入された前記学習技術を、アクティベーショントークンとして少なくとも１人の学習者へ配布するステップを更に備える請求項１に記載の方法。
【請求項６】
前記学習コンテンツは、オンラインコース、ディスカッションフォーム及びコミュニティ、イベント及びイベントグループ、インターネットベースのオンライン評価、ＬＡＮベースのクラスルーム評価、ダウンロード用の質問紙、電子書籍の形式の読み物、動画又はチュートリアルのうちの少なくとも１以上の形式で提供される、請求項１に記載の方法。
【請求項７】
前記検索するステップは、キーワードに基づく、請求項１に記載の方法。
【請求項８】
複数の学習技術を集約するシステムであって、
学習者インターフェースと、
メモリと、
プロセッサと、を備え、前記プロセッサは、更に、
前記複数の学習技術を集約するためにプラットフォームオーナーによるプラットフォームと、
１以上のユーザを前記複数の学習技術とタグ付けする登録管理モジュールと、
少なくとも１人のユーザによって前記プラットフォーム上で前記複数の学習技術を検索する検索モジュールと、
前記少なくとも１人のユーザによって前記複数の学習技術のうちの少なくとも１つの学習技術を購入する購入モジュールであって、前記購入は、パブリッシャー及びプラットフォームオーナーのための収益の生成を生じる、購入モジュールと、
収益管理モジュールを用いて前記パブリッシャーと前記プラットフォームオーナーとの間の収益を管理する前記収益管理モジュールと、
前記プラットフォーム上で学習者により学習コンテンツを使用する使用モジュールと、
を備えるシステム。
【請求項９】
製品を用いる前に、前記プラットフォームオーナーによって前記複数の学習技術を承認することを更に備える請求項８に記載のシステム。
【請求項１０】
前記１以上のユーザは、１以上の学習者及び１以上の配布者を含む、請求項８に記載のシステム。
【請求項１１】
前記１以上の配布者によって、購入された前記学習技術を、アクティベーショントークンとして少なくとも１人の学習者へ配布する配布モジュールを更に備える、請求項８に記載のシステム。
【請求項１２】
前記学習コンテンツは、オンラインコース、ディスカッションフォーム及びコミュニティ、イベント及びイベントグループ、インターネットベースのオンライン評価、ＬＡＮベースのクラスルーム評価、ダウンロード用の質問紙、電子書籍の形式の読み物、動画又はチュートリアルのうちの少なくとも１以上の形式で提供される、請求項８に記載のシステム。
【請求項１３】
前記検索することは、キーワードに基づく、請求項８に記載のシステム。
【請求項１４】
システム上のプロセッサによって実行されたときに、複数の学習技術を集約する方法を前記プロセッサに行わせる１以上の命令を格納する非一時的コンピュータ媒体であって、前記方法は、
前記複数の学習技術を集約するためにプラットフォームオーナーによりプラットフォームを提供するステップであって、前記複数の学習技術は、学習コンテンツを有する、ステップと、
前記プラットフォームの登録サービスフレームワークを用いて各パブリッシャーによる製品として前記複数の学習技術を集積するステップと、
１以上のユーザによって前記プラットフォーム上の前記複数の学習技術を検索するステップと、
少なくとも１人のユーザによって前記複数の学習技術のうちの少なくとも１つの学習技術を購入するステップであって、前記購入は、収益の生成を生じる、ステップと、
収益管理モジュールを用いて前記パブリッシャーと前記プラットフォームオーナーとの間の収益を管理するステップと、
前記プラットフォーム上で前記少なくとも１人のユーザにより前記少なくとも１つの学習技術を使用するステップと、
を備える非一時的コンピュータ媒体。
【発明の詳細な説明】
【技術分野】
【０００１】
本発明は、２０１７年１１月１５日にインド国に出願されたインド国出願第２０１７２１０４０８７３号（名称：Ｍｅｔｈｏｄ  ａｎｄ  ｓｙｓｔｅｍ  ｆｏｒ  ａｇｇｒｅｇａｔｉｎｇ  ａ  ｐｌｕｒａｌｉｔｙ  ｏｆ  ｌｅａｒｎｉｎｇ  ｔｅｃｈｎｏｌｏｇｉｅｓ  ｗｉｔｈ  ａｎ  ｅ−ｃｏｍｍｅｒｃｅ  ｌａｙｅｒ）の優先権を主張する。
【０００２】
本明細書の実施形態は、概して、学習技術の集約の分野に監視、より具体的には、Ｅコマースレイヤーを有する複数の学習技術を集約するためのプラットフォームを提供する方法及びシステムに関する。
【背景技術】
【０００３】
現在のシナリオでは、教育機関又は他の組織で実施される様々な独立学習管理システム（ｌｅａｒｎｉｎｇ  ｍａｎａｇｅｍｅｎｔ  ｓｙｓｔｅｍｓ（ＬＭＳｓ））が存在する。複数のシステムを用いて学習者へ機関／管理機関によって提示される学習の異なるモードがある。しかし、学習者が複数のコンテンツデリバリーシステムの単一のシステムを通じてアクセスすることを助ける単一の集約レイヤーはない。また、マーケットプレイスにユニークな収益モデルで存在するために、複数のパブリッシャー及び学習プラットフォームの配布者のためのエコシステムを提供するシステムもない。組織が既に内部ＬＭＳシステムを有し、学習の新たなモードをそれらの学習者へ提供したい場合、組織は、システムを再構築する又は全てのそれらの学習コンテンツを新たなコンテンツへ移行する必要があり、これは、新たな技術及び適応性に向かってシフトするために組織決定をしばしば制限する非常に困難かつ手強いタスクである。
【０００４】
学習技術の集約は、学習者の需要に適する学習モードを検索及び消費するために、学習者のために単一のプラットフォームを提供することを目的とする。更に、プラットフォームは、異なるパブリッシャーがプラットフォームにおける学習者の学習コンテンツを設定及び構成することを助ける。
【発明の概要】
【０００５】
以下は、実施形態の基本的な理解を提供するために、本開示の一部の実施形態の簡素化された概要を提示する。この概要は、実施形態の広範な概要ではない。実施形態のキーとなる／重要な要素を識別する又は実施形態の範囲を詳述することは意図されない。その唯一の目的は、以下に提示されるより詳細な説明への前置きとして簡素化された形態で一部の実施形態を提示することである。
【０００６】
上記を考慮して、本明細書の実施形態は、複数の学習技術を集約するシステムを提供する。前記システムは、学習者インターフェースと、複数の命令のセットを有するメモリと、前記メモリと通信接続されたプロセッサと、を備える。更に、前記システムは、前記複数の学習技術を集約するプラットフォームを備え、前記複数の学習技術は、学習コンテンツを有する。更に、前記システムは、各パブリッシャーによる製品として前記複数の学習技術を集積するプラットフォームの登録サービスフレームワークと、ユーザを前記複数の学習技術又はコンテンツデリバリーエンジンとタグ付けする登録管理モジュールと、１以上のユーザによって前記プラットフォーム上で前記複数の学習技術を検索する検索モジュールと、前記１以上のユーザによって前記複数の学習技術のうちの少なくとも１つの学習技術を購入する購入モジュールであって、前記購入は、パブリッシャー及びプラットフォームオーナーのための収益の生成を生じる、購入モジュールと、を備える。更に、前記システムは、収益管理モジュールを用いて前記パブリッシャーと前記プラットフォームオーナーとの間の収益を管理する前記収益管理モジュールと、前記１以上の配布者によって、購入された前記学習技術を前記学習者へ配布する配布モジュールと、前記プラットフォーム上で前記学習者により前記学習コンテンツを使用する使用モジュールと、を備える。
【０００７】
本明細書の別の態様では、複数の学習技術を集約する方法を提供し、前記複数の学習技術は、学習コンテンツを有する。次のステップにおいて、前記方法は、プラットフォームの登録サービスフレームワークを用いることによって各パブリッシャーによる製品として前記複数の学習技術を集積する。更に、次のステップにおいて、前記方法は、１以上のユーザが前記複数の学習技術で集積された複数の製品について検索することを可能にし、登録管理モジュールを用いて１以上のユーザを複数の学習技術又はコンテンツデリバリーエンジンへタグ付けする。更に、次のステップにおいて、前記方法は、１以上のユーザによって前記複数の学習技術のうちの少なくとも１つの学習技術を購入することを提供し、前記購入は、収益の生成を生じ、収益管理モジュールを用いて前記パブリッシャーと前記プラットフォームオーナーとの間の収益を管理する。更に、次のステップにおいて、前記方法は、前記１以上のユーザによって、購入された前記学習技術を配布すること、及び前記プラットフォーム上で前記ユーザにより前記少なくとも１つの学習技術を使用することを提供する。
【０００８】
本明細書の更に別の態様では、システム上のプロセッサによって実行されたときに、学習コンテンツを有する複数の学習技術を集約する方法を前記プロセッサに行わせる１以上の命令を格納する非一時的コンピュータ媒体を提供する。次のステップにおいて、前記方法は、プラットフォームの登録サービスフレームワークを用いることによって各パブリッシャーによる製品として前記複数の学習技術を集積する。更に、次のステップにおいて、前記方法は、１以上のユーザが前記複数の学習技術で集積された複数の製品について検索することを可能にし、登録管理モジュールを用いて１以上のユーザを複数の学習技術又はコンテンツデリバリーエンジンへタグ付けする。更に、次のステップにおいて、前記方法は、１以上のユーザによって前記複数の学習技術のうちの少なくとも１つの学習技術を購入することを提供し、前記購入は、収益の生成を生じ、収益管理モジュールを用いて前記パブリッシャーと前記プラットフォームオーナーとの間の収益を管理する。更に、次のステップにおいて、前記方法は、前記１以上のユーザによって、購入された前記学習技術を配布すること、及び前記プラットフォーム上で前記ユーザにより前記学習コンテンツを使用することを提供する。
【０００９】
本明細書のブロック図は、本発明の概念を具体化する例示的なシステムの概念的視点を提示することが当業者によって理解されるべきである。同様に、フローチャート、フロー図、状態遷移図、擬似コード及び同様のものは、コンピュータ可読媒体に実質的に提示され、そのため、このようなコンピューティングデバイス又はプロセッサが明示的に示されるかどうかにかかわらず、コンピューティングデバイス又はプロセッサによって実行される様々な処理を提示することが理解される。
【図面の簡単な説明】
【００１０】
本明細書の実施形態は、図面を参照しながら以下の詳細な説明からより良く理解されるであろう。
【００１１】
【図１】図１は、本開示の実施形態に係る複数の学習技術を集約するためのブロック図を示す。
【図２ａ】図２（ａ）は、本開示の実施形態に係る複数の学習技術を集約することにおいて含まれるステップを示すフローチャートである。
【図２ｂ】図２（ｂ）は、本開示の実施形態に係る複数の学習技術を集約することにおいて含まれるステップを示すフローチャートである。
【発明を実施するための形態】
【００１２】
本明細書の実施形態及びその様々な特徴及び有利な詳細は、添付の図面に示され、かつ以下の詳細な説明で説明される非限定的な実施形態を参照してより完全に説明される。本明細書で用いられる実施例は、単に、本明細書の実施形態が実施され、更に本明細書の実施形態を当業者に実施可能にする手法の理解を容易にするためのものである。したがって、実施例は、本明細書の実施形態の範囲を限定するものとして解釈されるべきではない。
【００１３】
ここで図面、より具体的には、図１から図２（ａ）及び（ｂ）を参照すると、同様の参照文字は、図面を通じて一貫して対応する特徴を示し、好ましい実施形態が示され、これらの実施形態は、以下の例示的なシステム及び／又は方法の文脈において説明される。
【００１４】
本開示の実施形態によれば、複数の学習技術を集約するシステム１００は、図１に示される。システム１００は、各パブリッシャーによって製品として複数の学習技術を集約するためのプラットフォームを提供する。システムは、複数の学習技術を集約するように構成され、複数の学習技術は、学習コンテンツを有する。システム１００は、ユーザによる各学習技術の購入のために、パブリッシャーとプラットフォームオーナーとの間の収益を管理する収益管理モジュールを提供する。１以上のユーザは、限定されないが、１以上の学習者と、１以上の配布者とを含むことが留意される。更に、１以上の配布者は、組織体の少なくとも１つを含む。それに加えて、システム１００は、配布者によって学習技術を学習者へ配布する配布モジュールと、配布者によって学習コンテンツを使用する際にユーザをサポートする使用モジュールと、を提供する。
【００１５】
それは、様々な学習モードに亘るｅコマースレイヤーであり、パブリッシャーは、それらのコンテンツを配置することができ、学習技術を検索及び購入することができる。ユーザは、シームレスと同様であり、学習者インターフェースを使用しやすいという価値がある。このプラットフォームは、また、学習者が、企業において習得されたコンピテンシー能力の適用に学習の旅を続けることを助ける。更に、これは、全ての参加する事業体間の収益管理を提供する。これは、また、異なる学習技術のための登録／非登録を管理することを助けるアクティベーショントークンエンジンを提供する。
【００１６】
本開示の実施形態によれば、システム１００は、複数の学習技術を集約するように構成される。複数の学習技術の集約は、プラットフォームモデル及びエンタープライズモデルとして２つのセットアップにおいて設計される。プラットフォームモデルでは、プラットフォームオーナーがシステムにおいて全ての異なる参加者間で取引を可能にする学習者以外のパブリッシャー、配布者、団体及び企業のエコシステムが存在し、エンタープライズモデルでは、単一のパブリッシャーが存在し、配布者が存在してもしなくてもよい。この開示では、説明の目的のために、システム１００は、入／出力インターフェース１０２と、複数の命令セットを有するメモリ１０４と、プロセッサ１０６と、プラットフォーム１０８と、を備える。プロセッサ１０６は、メモリ１０４と通信する。プロセッサ１０６は、メモリ１０４に格納される複数のアルゴリズムを実行するように構成される。プロセッサ１０６は、更に、様々な機能を実行する複数のモジュールを含む。複数のモジュールは、限定されないが、図１のブロック図に示されるように、収益サービスフレームワーク１１２と、登録管理モジュール１１４と、検索モジュール１１６と、購入モジュール１１８と、収益管理モジュール１２０と、配布モジュール１２２と、使用モジュール１２４と、を含んでもよい。
【００１７】
本開示の実施形態によれば、学習者インターフェース１０２は、複数の入力をプロセッサ１０８へ提供するように構成される。複数の入力は、ユーザのビジネス用のビジネスアプリケーションを検索するためにビジネスオーナーによって入力されるべきサーチクエリであってもよい。別の例では、他のものもシステム１００へ提供されうる。学習者インターフェース／入力モジュールは、様々なソフトウェア及びハードウェア、例えば、ウェブインターフェース、グラフィカル学習者インターフェース及び同様のものを含み、例えば、ＬＡＮ、ケーブル等の有線ネットワーク及びＷＬＡＮ、セルラー又は衛星等の無線ネットワークを含む、広範囲なネットワークＮ／Ｗ及びプロトコルタイプ内の複数の通信を容易にしうる。
【００１８】
本開示の実施形態によれば、システム１００は、四種類の役割を含む。
【００１９】
１．プラットフォームオーナー：システム１００のプラットフォームオーナーは、プラットフォーム１０４を提供することに対して責任を負い、複数の検索の売買及び複数の学習技術から少なくとも１つの学習技術の購入のためのエコシステムを可能にする。プラットフォームオーナーは、学習者インターフェース、ペイメントゲートウェイ、収益分割管理、払い戻し処理、製品生産能力、サブスクリプションコネクタシステム、パートナー管理システム、及びシステム１００の異なる学習者が要求する全ての他のシステムのようなプラットフォームサービスを提供している。プラットフォームオーナーは、学習承認のサーチ及び購入の責任も負う。
【００２０】
２．パブリッシャー組織：パブリッシャー組織は、ハブにおいて学習技術を所有する者であり、システム１００のプラットフォーム１０８オーナーと共に検索及び購入に対して責任を負う。ハブには複数のパブリッシャーが存在しうる。パブリッシャーは、製品をセットアップする、エンジンマッピングを配信するための製品を定義する、組織の学習者を管理する、製品からのアクティベーショントークンを管理する、及びシステム１００における配布者とのパートナーシップを管理する、ための能力を有する。
【００２１】
３．配布者組織：配布者組織は、パブリッシャー組織から卸売りで購入する、及びそれをパブリッシャーを代表して最終的な学習者へ売る責任を負う。複数のパブリッシャーとそれぞれ相互作用するシステム１００において複数の配布者が存在し、アクティベーショントークンを管理し、パブリッシャーとのパートナーシップを管理する。配布者組織に属する学習者は、システムにおいて異なる種類の学習者間でのより良い差別化のために、これ以降、配布者と呼ばれる。配布者は、それらの組織内の異なる役割及び許可を保持してもよい。
【００２２】
４．団体：団体は、一部の追加能力を有するパブリッシャー及び配布者の両方の能力のある広い範囲を有するグループである。これは、仲介者／教師及び組織チェーンを有する学習者のクラス及びグループを有する実世界の団体構造にマップされることができる。ハイレベルでは、団体が組織／クラス／グループレベルでの学習者管理、アクティベーショントークン管理、製品セットアップ及び組織チェーン管理を有する一部の能力である。この組織のタイプは、現在、設計範囲にはなく、故に、この文書は、パブリッシャー又は配布者の視点からのみの組織関係に対する組織能力及び学習者を含むであろう。
【００２３】
本開示の実施形態によれば、システム１００は、各パブリッシャーによる製品として複数の学習技術を集積するために登録サービスフレームワーク１１２を含む。これは、様々な学習モードに亘るｅコマースレイヤーであり、パブリッシャーは、それらのコンテンツを配置し、学習技術の検索及び販売を可能にする。
【００２４】
本開示の実施形態によれば、システム１００は、１以上のユーザを複数の学習技術又はコンテンツデリバリーエンジンにタグ付けする登録管理モジュール１１４を含む。１以上のユーザは、限定されないが、１以上の学習者及び１以上の配布者を含むことが留意される。更に、１以上の配布者は、組織体の少なくとも１つを含む。コンテンツデリバリーエンジンは、複数の学習コンテンツをサポートする。複数の学習コンテンツは、オンラインコース、ディスカッション形式及びコミュニティ、イベント及びイベントグループ、ＬＡＮベースのクラスルーム評価、ダウンロード用の質問用紙、電子書籍の形式の読み物、動画又はチュートリアルのうちの少なくとも１つの形式で提供される。コンテンツデリバリーエンジンは、任意の技術、フレームワーク及びプラットフォームでホストされうるこれらの１以上の学習コンテンツを提示することが理解されるであろう。
【００２５】
本開示の実施形態によれば、システム１００は、１以上のユーザによってプラットフォーム上の複数の学習技術を検索するための検索モジュール１１６を含む。複数の学習技術で集積された複数の製品のキーワードのマッチングリストによるキーワードを用いて少なくとも１つの学習技術を検索することができることが留意される。検索モジュール１１６は、製品タイプ、製品の価格、製品スケジュール及び学習技術を提示する者のパブリッシャーの名称に基づいて検索結果をフィルタするように構成される。未登録メンバーは、製品カタログにより複数の学習技術をブラウズ及び検索できることが理解されるであろう。しかし、それらの製品は、ディスプレイ用に『ｙｅｓ』とマークされた未登録メンバーに視認可能である。更に、検索モジュール１１６は、パブリッシャーによって設定された製品の属性化のためにも構成される。複数の学習技術内の製品の態様を定義する様々な属性が存在する。属性は、パブリッシャーによって定義され、１以上のユーザは、それらの属性の配列組み合わせにより製品を見ることができ、相互作用することができることが理解されるであろう。
【００２６】
本開示の実施形態によれば、システム１００は、１以上のユーザによる複数の学習技術のうちの少なくとも１つの学習技術を購入するための購入モジュール１１８を含み、購入は、収益の生成を生じる。購入を開始するために、ユーザは、ディスプレイ上に与えられる『今すぐ購入（ｂｕｙ  ｎｏｗ）』を選択することによって１以上の学習技術を買うことができる。学習者は、『カートに入れる（Ａｄｄ  ｔｏ  Ｃａｒｔ）』を選択することによってカートへ１以上の製品を追加することができる。
【００２７】
本開示の実施形態によれば、システム１００は、パブリッシャー及びプラットフォームオーナーの間で収益を管理するための収益管理モジュール１２０を含む。収益管理モジュールは、収益を管理するように構成され、プラットフォームオーナー自身がパブリッシャー及び単一の支払いゲートウェイホルダーである。本開示は、マーケットプレイスモデルと共に、エンタープライズに実装されてもよいことが理解されるであろう。マーケットプレイスモデルでは、収益管理は、パブリッシャーとプラットフォームオーナーとの間での収益共有を含む。エンタープライズモデルは、単純であり、プラットフォームオーナー自身は、パブリッシャーであり、かつ支払いゲートウェイアカウントホルダーである。更に、収益管理モジュールは、学習者によって購入された製品の決済された金額及び決済されない金額の両方を表示するように構成される。パブリッシャーオーナーは、１以上のユーザによって購入された製品の値の歩合を受け取る。
【００２８】
本開示の実施形態によれば、システム１００は、１以上のユーザによって、購入された学習技術を配布するための配布モジュール１２２を含む。
【００２９】
本開示の実施形態によれば、システム１００は、プラットフォーム上の１以上のユーザによって学習コンテンツを使用するための使用モジュール１２４を含む。
【００３０】
図２を参照すると、複数の学習技術を集約する方法２００を示す。これは、任意の技術又はフレームワークに存在する複数の異なる技術の集約である。これは、異なる学習管理サービスがプラットフォームに容易に集積することを可能にする登録サービスフレームワークを備える。これは、様々な学習モードに亘るｅコマースレイヤーであり、パブリッシャーは、それらのコンテンツを配置し、学習技術の検索及び販売を可能にする。ユーザは、シームレスに同一に利用することができ、学習者インターフェースを容易に使用することができる。このプラットフォームは、また、学習者が、企業において習得されたコンピテンシー能力の適用に学習の旅を続けることを助ける。更に、全ての参加する事業体間の収益管理を提供する。また、異なる学習技術のための登録／非登録を管理することを助けるアクティベーショントークンエンジンを提供する。
【００３１】
ステップ２０２において、処理は、複数の学習技術を集約するためのプラットフォームオーナーによってプラットフォームを提供し、複数の学習技術は、学習コンテンツを有する。学習コンテンツは、オンラインコース、ディスカッションフォーム及びコミュニティ、イベント及びイベントグループ、インターネットベースのオンライン評価、ＬＡＮベースのクラスルーム評価、ダウンロード用の質問用紙、電子書籍の形式の読み物、動画又はチュートリアルの少なくとも１つの形式で提供される。
【００３２】
ステップ２０４において、処理は、プラットフォームの登録サービスフレームワークを用いることによって各パブリッシャーによって製品として複数の学習技術を集積する。
【００３３】
ステップ２０６において、処理は、登録管理モジュールを用いて、１以上のユーザを複数の学習技術又はコンテンツデリバリーエンジンとタグ付けする。１以上のユーザは、限定されないが、１以上の学習者及び１以上の配布者を含むことが留意される。更に、１以上の配布者は、組織体の少なくとも１つを含む。複数の学習技術は、学習コンテンツを１以上のユーザへ届ける。ユーザは、ユーザの購入アクティビティでトリガーされる製品作製時に、システムにおいて定義される登録ルールによりデリバリーエンジンにおいて１以上の学習コンテンツへマップされる。学習者が購入した製品に基づいて、学習者は、ルールで特定されるような対応するデリバリーエンジンにマップされる。
【００３４】
ステップ２０８において、処理は、ユーザによってプラットフォーム上の複数の学習技術を検索する。登録済み及び未登録ユーザは、学習技術を検索及び購入するためにプラットフォームを用いることができることが理解されるであろう。登録済みユーザは、全ての製品にアクセスしうる。しかし、未登録ユーザは、全ての製品へのアクセスを得ることができない。未登録ユーザは、匿名のユーザに許されるディスプレイ用の『ｙｅｓ』とマークされた製品にのみアクセスすることができる。
【００３５】
製品は、フィルタされ、プラットフォームのカタログディスプレイ上に表示される。これらは、タイル上の製品の総合的な情報を伝える異なる製品のタイル張りとして表示される。
【００３６】
ステップ２１０において、処理は、１以上のユーザによって複数の学習技術のうちの少なくとも１つの学習技術を購入し、購入は、収益の生成を生じる。購入は、製品タイルに記述された又はプラットフォーム上に表示されたアクションのいずれかでクリック／選択することで開始することができる。
【００３７】
一例では、学習者がオンライン購入することを望む場合、『今すぐ購入』でクリックすることによってすぐに選択された製品は、製品詳細及び支払いのオプションを有する確認ページを表示する。学習者は、選択された製品を彼らのカートへ追加することができる。学習者は、自由にマークされた、選択された製品に直接的に登録することもできる。更に、学習者は、アクティベーションを通じた製品購入のためのフラグが可能にされており、製品が価格付けされた製品である場合、製品上に見えるアクティベートトークンオプションを選択することができる。「アクティベートトークン」オプションは、配布者又はパブリッシャーによって生成及び配布されていた製品のアクティベーションコードを単に入れることによって、学習者が、選択された製品を学習者の登録へ追加することを可能にする。
【００３８】
ステップ２１２において、処理は、収益管理モジュールを用いてパブリッシャーとプラットフォームとの間の収益を管理する。プラットフォームオーナーは、学習者又は配布者のいずれかによって、購入された製品の値の歩合を受け取る。プラットフォームオーナーによって受け取られる最終的な金額は、実際のオーダー値が学習者によって払われる又は配布者が同一又はディスカウントであるかにかかわらず、所定のパーセンテージベース価格に基づく。更に、収益管理は、配布者、学習者及びプラットフォームオーナー等のような様々なステークホルダー間での製品の決済された金額及び決済されない金額の両方を表示をサポートする。
【００３９】
実施例では、成功したオーダーは、初めに、プロバイダーが、オーダーをエスクロー勘定で決済するまで、ペイメントゲートウェイプロバイダーにとどまる。この初期オーダー値の決済は、Ｔ＋１（Ｔ＋１でのポスト６．００  ＰＭ）で生じる。この決済をポストし、分割要求は、プラットフォーム口座への決済が生じるまで、処理のために待機されるＰＧで開始されうる。プラットフォーム口座へのこの決済は、（Ｔ＋２での）ＰＧプロバイダーによって、又は（分割の直後、つまり、Ｔ＋１）ＡＰＩを用いるプラットフォームによって、実行されうる。このアクションは、分割トランザクションリリース処理のために当該金額をキューする。トランザクションリリースＡＰＩは、プラットフォームアカウントにおけるパブリッシャー用に決済される金額をマークするプラットフォームによって開始される必要があり、ゲートウェイは、これらの決済された資金を、Ｔ＋２／Ｔ＋３でペイアウトを用いて内部でパブリッシャー銀行口座へリリースすることに対処する。パブリッシャーからのこの処理において収集されたプラットフォーム料金は、また、ゲートウェイプロバイダーによってプラットフォームオーナーの銀行口座へ自動的に転送される。
【００４０】
更に、収益管理は、払い戻し機構をサポートする。事実上、製品が払い戻し可能又は払い戻し不可能であるかを予め定義する。製品購入が払い戻し可能又は払い戻し不可能であるか、及びどの程度のパーセンテージかは、製品に対するシステムにおける予め定義された構成に基づく。
【００４１】
次のステップ２１４において、処理は、配布者によって、購入された学習技術を１以上のユーザへ配布する。
【００４２】
最後のステップ２１６において、処理は、プラットフォーム上の１以上のユーザにより学習コンテンツを使用する。
【００４３】
更に、方法２００は、製品を用いる前に、プラットフォームオーナーによって複数の学習技術を承認するステップを備える。
【００４４】
本書面による説明は、当業者が実施態様を製作して使用することを可能にするために、本明細書における主題を説明している。主題実施態様の範囲は、特許請求の範囲によって定義され、当業者が思いつくその他の修正形態を含めてもよい。そのような他の修正は、それらが特許請求の範囲の文言と異ならない類似の要素を有する場合、又はそれらが、特許請求の範囲の文言と実質的に差のない、等価な要素を含む場合には、特許請求の範囲に記載の範囲に含めることを意図するものである。
【００４５】
本明細書での本開示の実施形態は、ｅコマースレイヤーを有する複数の学習技術を集約するシステム及び方法を提供する。これは、任意の技術又はフレームワークに存在する複数の異なる技術の集約である。これは、異なる学習管理サービスがプラットフォームに容易に集積することを可能にする登録サービスフレームワークを備える。これは、様々な学習モードに亘るｅコマースレイヤーであり、パブリッシャーは、それらのコンテンツを配置し、学習技術の検索及び販売を可能にする。ユーザは、シームレスに同一に利用することができ、学習者インターフェースを容易に使用することができる。このプラットフォームは、また、学習者が、企業において習得されたコンピテンシー能力の適用に学習の旅を続けることを助ける。更に、全ての参加する事業体間の収益管理を提供する。また、異なる学習技術のための登録／非登録を管理することを助けるアクティベーショントークンエンジンを提供する。
【００４６】
しかしながら、保護の範囲は、そのようなプログラムまで、その中にメッセージを有するコンピュータ可読手段に加えて、拡張され、そのような非一時的コンピュータ可読記憶手段は、サーバ又はモバイルデバイス又は任意好適なプログラマブルデバイス上でプログラムが実行されるときに、方法の１つ又は２つ以上のステップを実現するためのプログラムコード手段を包含することを理解すべきである。ハードウェアデバイスは、例えば、サーバ又はパーソナルコンピュータのような任意の種類のコンピュータ、その他、又はそれらの任意の組合せを含む、プログラムすることのできる、任意の種類のデバイスとすることができる。このデバイスには、また、例えばハードウェア手段、例えば、特定用途向け集積回路（ＡＳＩＣ）、フィールドプログラマブルゲートアレイ（ＦＰＧＡ）、又はハードウェア手段とソフトウェア手段の組合せ、例えば、ＡＳＩＣ及びＦＰＧＡ、又は少なくとも１つのマイクロプロセッサと、その中にあるソフトウェアモジュールを備える、少なくとも１つのメモリとすることもできる、手段を含んでもよい。よって、当該手段は、ハードウェア手段とソフトウェア手段の両方を含むことが可能である。本明細書に記載の方法実施態様は、ハードウェア及びソフトウェアにおいて実現することもできる。デバイスはまた、ソフトウェア手段を含んでもよい。代替的に、実施態様は、例えば、複数のＣＰＵを使用して、異なるハードウェアデバイス上で実現してもよい。
【００４７】
本明細書における実施態様は、ハードウェア要素及びソフトウェア要素を含むことができる。ソフトウェアとして実現されている実施態様としては、それには限定されないが、ファームウェア、レジデントソフトウェア、マイクロコード、その他が含まれる。本明細書に記載された様々なモジュールによって実行される機能は、その他のモジュールにおいて、又はその他のモジュールの組合せにおいて実現してもよい。この説明の目的で、コンピュータ使用可能媒体又はコンピュータ可読媒体は、命令実行システム、装置、又はデバイスによって、又はそれらと関連して使用するためのプログラムを備える、記憶する、通信する、伝える、又は移送することのできる、任意の装置とすることができる。
【００４８】
媒体は、電子、磁気、光学、電磁気、赤外線、あるいは半導体システム（又は装置もしくは機器）又は伝搬媒体でありうる。コンピュータ可読媒体の例は、半導体又はソリッドステートメモリ、磁気テープ、取り外し可能コンピュータディスケット、ランダムアクセスメモリ（ＲＡＭ：ｒａｎｄｏｍ  ａｃｃｅｓｓ  ｍｅｍｏｒｙ）、読み出し専用メモリ（ＲＯＭ：ｒｅａｄ−ｏｎｌｙ  ｍｅｍｏｒｙ）、フラッシュメモリ、剛性磁気ディスク、及び光ディスクを含む。光ディスクの現在の例は、コンパクトディスク−リードオンリメモリ（ＣＤ−ＲＯＭ：ｃｏｍｐａｃｔ  ｄｉｓｋ−ｒｅａｄ  ｏｎｌｙ  ｍｅｍｏｒｙ）、コンパクトディスク読み込み／書込み（ＣＤ−Ｒ／Ｗ：ｃｏｍｐａｃｔ  ｄｉｓｋ−ｒｅａｄ／ｗｒｉｔｅ）、及びＤＶＤを含む。
【００４９】
プログラムコードを格納及び／又は実行するために好適なデータ処理システムは、システムバスを介してメモリ要素に直接的または間接的に結合された少なくとも１つのプロセッサを含む。メモリ要素は、プログラムコードの実際の実行中に使用されるローカルメモリ、大容量ストレージ、及び実行中の大容量ストレージからコードを取り出さなければならない回数を減らすために少なくともいくつかのプログラムコードの一時ストレージを提供するキャッシュメモリを含みうる。
【００５０】
入出力又はＩ／Ｏ機器（キーボード、ディスプレイ、ポインティング機器等を含むが、これに限定されない）を、直接的にまたは介在するＩ／Ｏコントローラを介してのいずれかでシステムに結合されうる。ネットワークアダプタを、システムに結合して、介在するプライベートネットワーク又はパブリックネットワークを介して、データ処理システムを他のデータ処理システム又は遠隔プリンタ又はストレージ機器に結合するようにさせることができる。モデム、ケーブルモデム、及びイーサネット（登録商標）カードは、ネットワークアダプタの現在利用可能なタイプのほんの一部である。
【００５１】
実施形態を実施するための代表的なハードウェア環境は、本明細書に係る情報処理／コンピュータシステムのハードウェア構成を含んでもよい。本明細書のシステムは、少なくとも１つのプロセッサ又は中央演算ユニット（ＣＰＵ）を備える。ＣＰＵは、ランダムアクセスメモリ（ＲＡＭ）、リードオンリーメモリ（ＲＯＭ）及び入／出力（Ｉ／Ｏ）アダプタ等のような様々なデバイスへシステムバスを介して相互接続される。Ｉ／Ｏアダプタは、ディスクユニット及びテープドライブ又はシステムによって読み出し可能な他のプログラム記憶装置等のような周辺機器に接続することができる。システムは、プログラム記憶装置上の発明の命令を読み出し、本明細書の実施形態の手法を実行するためにこれらの命令に従うことができる。
【００５２】
システムは、更に、キーボード、マウス、スピーカー、マイクロフォン及び／又は学習者入力を収集するためにバスへタッチスクリーンデバイス（図示せず）等の他の学習者インターフェースデバイスを接続する学習者インターフェースアダプタを含む。更に、通信アダプタは、データ処理ネットワークへバスを接続し、ディスプレイアダプタは、例えばモニタ、プリンタ又はトランスミッタ等のような出力装置として具現化されるディスプレイデバイスへバスを接続する。
【００５３】
前述の説明は、様々な実施態様を参照して提示された。この出願が関係する当業者は、記載の構造及び動作の方法における改変及び変更は、原理、趣旨及び範囲から意味のある逸脱をすることなく、実施することができることを理解するであろう。
【図１】
2019091390.tif 000003
【図２ａ】
2019091390.tif 000004
【図２ｂ】
2019091390.tif 000005
【外国語明細書】
2019091390000001.pdf